(57)【特許請求の範囲】
【請求項１】
途中に循環ファンを介在させた循環空気経路と、送風手段を介在させた乾燥用空気経路と、前記循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が前記乾燥用空気経路の途中であって吸着剤より上流側に、他の一つの空気系路が循環空気経路の途中であって吸着剤より下流側にそれぞれ接続され、乾燥用空気経路を流れる空気により循環空気経路を流れる高温高湿の空気を冷却凝縮する再生除湿器とを具備し、前記再生除湿器を通過した乾燥用空気経路の空気を同乾燥用空気経路に臨む吸着剤でさらに除湿したのち、所定高さに設けた吹き出し口より乾燥領域に吹き出すようにした衣類乾燥機。
【請求項２】
前記吸着剤は、回転自在とした請求項１に記載した衣類乾燥機。
【請求項３】
前記再生除湿器により凝縮した水分を回収する排水タンクを設けた請求項１に記載した衣類乾燥機。
【請求項４】
吹き出し口を２つ備え、各吹き出し口から吹き出す空気の比率を調整する調整弁を設けた請求項１から３のいずれか１項に記載した衣類乾燥機。
【発明の詳細な説明】
【０００１】
【発明の属する技術分野】
本発明は、衣類等の乾燥を行わせる除湿装置を装備した衣類乾燥機に関するものである。
【０００２】
【従来の技術】
以下に、従来の除湿機能を備えた衣類乾燥機の構成及びその動作を図１９に基いて説明する。図１９において、１は衣類を乾燥させる乾燥庫、２は乾燥庫１の下方部に乾燥空気を供給する吹き出し口２ａを設けた循環風胴、３は送風ファンからなり乾燥空気を循環送風させる送風手段、４はパイプとフィン等で構成された空冷式熱交換器、５はこの空冷式熱交換器４を空気冷却する冷却ファン、６は空冷式熱交換器４で結露した水を排出するドレン孔、７は循環風胴、８は乾燥空気を加熱する加熱体である。
【０００３】
上記のごとく乾燥庫１に乾燥空気を供給する循環経路は、送風手段３、空冷式熱交換器４、循環風胴７、循環風胴２により構成され、矢印ａの様に乾燥空気が流れる。９は衣類乾燥器本体１０に設けられた冷却空気の吸気口、１１は排気口であり、冷却経路は破線矢印ｂの様に流れる。１２は排水タンク、１３は衣類をかけるハンガーパイプ、１４は本体１０とパッキン１５でシールされた扉である。
【０００４】
次に上記した従来の衣類乾燥器の動作を説明する。まず衣類をハンガーにかけ、ハンガーパイプ１３に吊り下げる。そして送風手段３及び加熱体８に通電し作動させると、乾燥空気は矢印ａの様に循環経路を流れ、加熱されて吹き出し口２ａより乾燥庫１内へと送られる。一方冷却ファン５も同時に作動させるので冷却空気は冷却経路を破線矢印ｂの様に流れる。上記の乾燥空気は衣類に当たり、衣類から水分を蒸発させ持ち去る。そして、この湿った乾燥空気を空冷式熱交換器４により露点温度以下に冷却し除湿する。乾燥空気は再び加熱体８で加熱され乾燥庫１に送られ乾燥していく。空冷式熱交換器４で除湿された水分はドレン孔６により排出されて排水タンク１２に溜まる。
【０００５】
【発明が解決しようとする課題】
しかしながら上記従来の構成では、除湿手段が空冷式熱交換器で乾燥器が設置された部屋の空気を冷却用空気とし、循環する乾燥空気を露点温度以下に冷却することで衣類より蒸発した水蒸気を凝縮させる。この種の除湿手段において除湿能力を高めるためには、空冷式熱交換器に流入する乾燥空気を高温多湿とし、冷却空気との温度差を大きくする必要があった。そのために、衣類から蒸発した水蒸気を逃がさないように衣類を収納する乾燥庫を必要とした。そしてこの乾燥庫は断熱構造と、乾燥空気が乾燥庫から漏れない密閉構造が必要であった。
【０００６】
従って高断熱、高密閉のために構造が複雑で部品点数も多く高価なものであった。また、衣類を収納する乾燥庫が必要であるために、衣類乾燥器の小型化を図ることは困難であった。
【０００７】
更に、空冷式熱交換器で熱交換して温度上昇した冷却空気は、除湿作用以外に衣類の乾燥には全く寄与しないで本体外に排気されてしまうため、乾燥効率の低いものであった。
【０００８】
本発明は上記従来の課題を解決するものであり、衣類を収納する高断熱、高密閉構造の乾燥庫を不要にして小型化を図り、衣類から蒸発した水蒸気を水に凝縮して回収する除湿機能を備え、安価な衣類乾燥器を提供することを目的とするものである。
【０００９】
【課題を解決するための手段】
本発明の衣類乾燥機は、途中に循環ファンを介在させた循環空気経路と、送風手段を介在させた乾燥用空気経路と、前記循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が前記乾燥用空気経路の途中であって吸着剤より上流側に、他の一つの空気系路が循環空気経路の途中であって吸着剤より下流側にそれぞれ接続され、乾燥用空気経路を流れる空気により循環空気経路を流れる高温高湿の空気を冷却凝縮する再生除湿器とを具備し、前記再生除湿器を通過した乾燥用空気経路の空気を同乾燥用空気経路に臨む吸着剤でさらに除湿したのち、所定高さに設けた吹き出し口より乾燥領域に吹き出すようにして、省スペースでコンパクトな衣類乾燥機を提供するものである。
【００１０】
【発明の実施の形態】
第１の発明は、途中に循環ファンを介在させた循環空気経路と、送風手段を介在させた乾燥用空気経路と、循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が乾燥用空気経路の途中であって吸着剤より上流側に、他の一つの空気系路が循環空気経路の途中であって吸着剤より下流側にそれぞれ接続され、乾燥用空気経路を流れる空気により循環空気経路を流れる高温高湿の空気を冷却凝縮する再生除湿器とを具備し、再生除湿器を通過した乾燥用空気経路の空気を同乾燥用空気経路に臨む吸着剤でさらに除湿したのち、所定高さに設けた吹き出し口より乾燥領域にはき出すようにしている。
【００１１】
この構成により、吸着剤への水分の吸着と、水分を吸着した吸着剤の活性化とを交互に行うことができ、衣類の乾燥及び室内空気の水分を水として回収する除湿が可能になり、衣類を収納する高断熱、高気密構造の乾燥庫を必要としない、除湿機能を備えた、小型で安価な衣類乾燥機を提供できるものである。
【００１２】
第２の発明は、特に、第１の発明の吸着剤を回転自在とした。
【００１３】
第３の発明は、特に、第１の発明において、再生除湿器により凝縮した水分を回収する排水タンクを設けるようにした。
【００１４】
第４の発明は、特に、第１から第３のいずれかの発明において、吹き出し口を２つ備え、各吹き出し口から吹き出す空気の比率を調整する調整弁を設けたことにより、衣類の状態に合わせた最適の乾燥環境が作り出せるものである。
【００１５】
以下、本発明の実施の形態について、図面を用いて説明する。
【００１６】
（実施の形態１）
図１、図２、図３において、１６はシリカゲルまたはゼオライト等からなる空気中の水分を吸着する粒状の吸着剤で、円筒状の枠体１７内に装着されている。１８は上記円筒形の枠体１７の天面と底面に設けられた網目部である。また上記円筒状の枠体１７は２つの半円筒形部１７ａ、１７ｂより構成され、吸着剤１６も１６ａ、１６ｂに分けられ、それぞれ交互に吸着工程、再生工程を行うように設けられている。１９は上記半円筒形部１７ａ、１７ｂを一定時間置きに１８０度回転させる駆動モ―タである。２０は再生工程側経路２１ａ内で、例えば半円筒形部１７ａ内に装着された吸着剤１６ａの上流に設けられた加熱体で、常時通電されている。２２は吸着工程側経路２１ｂ内で、例えば半円筒形部１７ｂ内に装着された吸着剤１６ｂの下流に設けられた送風手段で、本体２３の吸気口２４より吸気した空気を吸着剤１６ｂに供給するものである。２５は再生工程側経路２１ａ内で、例えば半円筒形部１７ａ内に装着された吸着剤１６ａの下流に設けられた循環ファンであり、上流より吸引した高温高湿の空気を下流に排気する。２６は送風手段２２と共に除湿手段を構成する再生除湿器で、管内と管外とに分離した二つの経路を有した空冷式の熱交換器からなり、再生工程側経路２１ａと吸着工程側経路２１ｂの交点に位置する。そして上記再生除湿器２６の管内は、再生工程側経路２１ａ内で、例えば半円筒形部１７ａ内に装着された吸着剤１６ａの下流に設けられ、上流より高温高湿の空気を流入されるとともに、再生除湿器２６の管外は吸着工程側経路２１ｂ内で、例えば半円筒形部１７ｂ内に装着された吸着剤１６ｂの上流に設けられ、送風手段２２を介して吸気口２４より吸気した冷却空気を流入される。このため管内を流れる高温高湿空気は、管外を流れる冷却空気により露点温度以下に冷却されて凝縮し、除湿される。再生除湿器２６で凝縮した水分は排水タンク（図示せず）等に回収される。
【００１７】
吸着工程側経路２１ｂにおいて、送風手段２２により吸気口２４より吸気され再生除湿器２６の管外側を流れて管内側を冷却し、凝縮熱により温度上昇して高温になった空気は、その後例えば半円筒形部１７ｂ内に装着された吸着剤１６ｂを通過し、水分を除去されて乾燥した高温の空気となり、送風手段２２を介して後方の支柱２７に送られる。上記支柱２７は衣類を掛けるハンガーパイプ２８、ハンガーパイプ２９を有すると共に、支柱２７に流れ込んだ高温の乾燥した空気がハンガーパイプ２８内に流れ込むように構成されている。３０は前記ハンガーパイプ２８に設けられた吹き出し口であり前記高温の乾燥した空気が衣類に向かうように例えばハンガーパイプ２８の上下面に設けられている。３１は衣類等の被乾燥物である。
【００１８】
次に上記発明の実施の形態１における衣類乾燥機の動作を説明する。まず衣類をハンガーにかけハンガーパイプ２８及びハンガーパイプ２９８に吊り下げる。衣類乾燥機の電源を投入すると吸着工程と再生工程が同時に開始される。吸着工程側ではその経路２１ｂにおいて、送風手段２２が動作し本体２３に設けられた吸気口２４より本体外部の室内等の空気が供給され、再生除湿器２６の管外側を流れて半円筒形部１７ｂ内に装着された吸着剤１６ｂ内に流入する。流入した空気は保有している水分を吸着剤３５ｂに奪われ、乾いた空気となり、送風手段２２を介して後方の支柱２７内を通過して、ハンガーパイプ２８に設けられた吹き出し口３０から衣類に向けて例えばハンガーパイプ２８の上下方向に吹き出し、乾燥に利用される。特にハンガーパイプ２８、ハンガーパイプ２９には衣類がかかったハンガーが吊り下げられており、その近傍に設けられた吹き出し口３０から吹き出す空気は衣類の袖口や襟など通常乾きにくい箇所にもよく当たり、乾燥にとって非常に効果的である。
【００１９】
また再生工程側ではその経路２１ａにおいて、加熱体２０が常時通電され、循環ファン２５により半円筒形部１７ａ内に装着された吸着剤１６ａに送られる空気は徐々に加熱される。このため吸着剤１６ａも次第に温度上昇して吸着剤１６ａに吸着していた水分が除々に吸着剤１６ａより脱離し、高温高湿の空気となって、循環ファン２５を介して下流側に設けられた再生除湿器２６の管内側に流入する。再生除湿器２６は再生工程側経路２１ａと吸着工程側経路２１ｂの交点に位置しているため、再生除湿器２６の管内側に流入した高温高湿の空気は、送風手段２２により吸気口２４を介して本体２３の外部より吸引された空気でその管外側を冷却され、露点温度以下に冷却され凝縮水として排水タンク等に回収される。再生除湿器２６の管内側を流出した空気は再び加熱体２０に送られ、上記再生工程の一連の動作を繰り返し、除湿効果を高めるものである。
【００２０】
次に一定時間が経過すると、駆動モータ１９により円筒状の枠体１７は１８０度回転し、半円筒形部１７ａ、１７ｂが入れ替わり、吸着工程側経路２１ｂには半円筒形部１７ａが、再生工程側経路２１ａには半円筒形部１７ｂが装着される。再生工程側経路２１ａにおいては、半円筒形部１７ｂ内に装着された吸着剤１６ｂがその回転前において、本体２３の外部から供給された空気より奪った水分を吸着しているため、回転後の再生工程側経路２１ａにおいて再生除湿器２６等によりその水分を除去されて、凝縮水として回収され、十分に除湿されるものである。また吸着工程側経路２１ｂにおいては半円筒形部１７ａがその回転前において、加熱体２０により加熱されていたため、回転後の吸着工程側経路２１ｂにおいて、送風手段２２を介して、半円筒形部１７ａ内に装着された吸着剤１６ａを通過し支柱２７に送られる空気は、吸着剤１６ａにより水分を奪われて乾燥することはもちろんのこと、温度も高められるものである。
【００２１】
従って支柱２７内を通過してハンガーパイプ２８に設けられた吹き出し口３０から衣類に向けて吹き出される空気は、より高温の乾燥したものとなり、衣類の乾燥にとってより効果的となるものである。駆動モータ１９により、上記の半円筒形部１７ａ、１７ｂの入れ替わりが、一定時間置きに交互に繰り返され、衣類の乾燥が促進されると共に、衣類より室内等へ蒸発した水分の除湿も行われるものである。
【００２２】
（実施の形態２）
図４、図５において１６〜２７、３１は図１、図２、図３で示した実施の形態１と同様であり、同一部分には同一符号を付けて説明を省略する。３２はモータ、電磁石等の駆動源であり、ベルト、カム等の伝達手段（図示せず）を介して支柱２７を一定の角度範囲内で水平方向に繰り返し正回転、反回転するように設けられている。３３は支柱２７に設けられた吹き出し口であり、支柱２７に流入した高温の乾燥した空気が、本体２３以外の吊り下げ具（図示せず）に掛けられた衣類に向けて吹き出すように構成されている。
【００２３】
以上のような構成に基いてその動作を説明する。吸着工程側経路２１ｂにおいて支柱２７に流入した高温の乾燥した空気は、支柱２７に設けられた吹き出し口３３より衣類３１に向けて吹き出されるが、この際に支柱２７がモータ、電磁石等の駆動源３２により、一定の角度範囲内で水平方向に繰り返し正回転、反回転するように設けられているため、吹き出し口３３より吹き出される高温の乾燥した空気も支柱２７と同様に、一定の角度範囲内で衣類３１に向けて吹き出されるため、衣類３１の端々にまで高温の乾燥した空気が行き渡り、効率よく衣類３１の乾燥を促進させる。その他の動作については前記発明の実施の形態１と同様であり、説明を省略する。
【００２４】
（実施の形態３）
図６、図７において１６〜３１は図１、図２、図３で示した発明の実施の形態１と同様であり、同一部分には同一符号を付けて説明を省略する。３４はモータ、電磁石等の駆動源であり、ベルト、カム等の伝達手段（図示せず）を介して支柱２７を一定の角度範囲内で水平方向に繰り返し正回転、反回転するように設けられている。
【００２５】
以上のような構成に基いてその動作を説明する。吸着工程側経路２１ｂにおいて支柱２７に流入した高温の乾燥した空気は、支柱２７に設けられたハンガーパイプ２８の吹き出し口３０より衣類３１に向けて吹き出される。この際に支柱２７がモータ、電磁石等の駆動源３４により、一定の角度範囲内で水平方向に繰り返し正回転、反回転するように設けられているため、支柱２７の一部に設けられたハンガーパイプ２８、２９及びハンガーパイプ２８、２９に掛けられた衣類３１も支柱２７同様に、一定の角度範囲内で繰り返し正回転、反回転する。従って衣類３１が揺さぶられ、衣類３１からの水分の脱離が良くなり、より効率よく衣類３１の乾燥を促進させる。その他の動作については前記発明の実施の形態１と同様であり、説明を省略する。
【００２６】
（実施の形態４）
図８、図９において１６〜２６、３１は図１、図２、図３で示した発明の実施の形態１と同様であり、同一部分には同一符号を付けて説明を省略する。３５はモータ、電磁石等の駆動源であり、ベルト、カム等の伝達手段（図示せず）を介して本体２３の天面端に設けられた吹き出し口３６を一定の角度範囲内で垂直方向に繰り返し正回転、反回転するように設けられている。また衣類３１は本体２３以外の吊り下げ具（図示せず）に掛けられている。
【００２７】
以上のような構成に基いてその動作を説明する。吸着工程側経路２１ｂにおいて送風手段２２から流れ出た高温の乾燥した空気は、本体２３の天面端に設けられた吹き出し口３６より衣類３１に向けて吹き出される。この際に吹き出し口３６がモータ、電磁石等の駆動源３５により、一定の角度範囲内で垂直方向に繰り返し正回転、反回転するように設けられているため、吹き出し口３６より吹き出される高温の乾燥した空気も一定の角度範囲内で衣類３１の上下方向に向かい、その端々にまで行き渡り、より効率よく衣類３１の乾燥を促進させる。その他の動作については前記発明の実施の形態１と同様であり、説明を省略する。
【００２８】
（実施の形態５）
図１０、図１１において１６〜３１は図１、図２、図３で示した発明の実施の形態１と同様であり、同一部分には同一符号を付けて説明を省略する。３７はモータ、電磁石等の駆動源であり、ベルト、カム等の伝達手段（図示せず）を介して本体２３の天面端に設けられた吹き出し口ａ３８を一定の角度範囲内で垂直方向に繰り返し正回転、反回転するように設けられている。
【００２９】
以上のような構成に基いてその動作を説明する。吸着工程側形路２１ｂにおいて送風手段２２から流れ出た高温の乾燥した空気は、本体２３の天面端に設けられた吹き出し口ａ３８より衣類３１に向けて吹き出される。この際に吹き出し口ａ３８がモータ、電磁石等の駆動源３７により、一定の角度範囲内で垂直方向に繰り返し正回転、反回転するように設けられているため、吹き出し口ａ３８より吹き出される高温の乾燥した空気も一定の角度範囲内で衣類３１の上下方向に向かい、その端々にまで行き渡り、より効率よく衣類３１の乾燥を促進させる。その他の動作については前記発明の実施の形態１と同様であり、説明を省略する。
【００３０】
（実施の形態６）
図１２、図１３において１６〜２７、３１〜３３は図４、図５で示した発明の実施の形態２と同様であり、同一部分には同一符号を付けて説明を省略する。３９はモータ、電磁石等の駆動源であり、ベルト、カム等の伝達手段（図示せず）を介して本体２３の天面端に設けられた吹き出し口ａ４０を一定の角度範囲内で垂直方向に繰り返し正回転、反回転するように設けられている。また衣類３１は本体２３以外の吊り下げ具（図示せず）に掛けられている。
【００３１】
以上のような構成に基いてその動作を説明する。吸着工程側形路２１ｂにおいて送風手段２２から流れ出た高温の乾燥した空気は、本体２３の天面端に設けられた吹き出し口ａ４０より衣類３１に向けて吹き出される。この際に吹き出し口４０ａがモータ、電磁石等の駆動源３９により、一定の角度範囲内で垂直方向に繰り返し正回転、反回転するように設けられており、吹き出し口ａ４０より吹き出される高温の乾燥した空気も一定の角度範囲内で衣類３１の上下方向に向かうため、衣類３１の端々にまで高温の乾燥した空気が行き渡り、より効率よく衣類３１の乾燥を促進させる。その他の動作については発明の実施の形態２と同様であり、説明を省略する。
【００３２】
（実施の形態７）
図１４、図１５において１６〜３１、３７〜３８は図１０、図１１で示した発明の実施の形態５と同様であり、同一部分には同一符号を付けて説明を省略する。４１はモータ、電磁石等の駆動源であり、ベルト、カム等の伝達手段（図示せず）を介して支柱２７を一定の角度範囲内で水平方向に繰り返し正回転、反回転するように設けられている。
【００３３】
以上のような構成に基いてその動作を説明する。吸着工程側形路２１ｂにおいて送風手段２２から流れ出た高温の乾燥した空気は、支柱２７の一部に設けられたハンガーパイプ２８の吹き出し口３０より衣類３１に向けて吹き出される。この際に支柱２７がモータ、電磁石等の駆動源４１により、一定の角度範囲内で水平方向に繰り返し正回転、反回転するように設けられているため、支柱２７の一部に設けられたハンガーパイプ２８、２９及びハンガーパイプ２８、２９に掛けられた衣類３１も支柱２７同様に、一定の角度範囲内で繰り返し正回転、反回転する。従って衣類３１が揺さぶられ、衣類３１からの水分の脱離が良くなり、より効率よく衣類３１の乾燥を促進させる。その他の動作については前記発明の実施の形態５と同様であり、説明を省略する。
【００３４】
（実施の形態８）
図１６、図１７において１６〜３１、３７〜３８は図１０、図１１で示した発明の実施の形態５と同様であり、同一部分には同一符号を付けて説明を省略する。４２は送風手段２２と吹き出し口ａ３８との間に設けられた調整弁ａであり、本体２３の表面に設けられたつまみａ４３と連動している。４４は同じく送風手段２２と支柱２７との間に設けられた調整弁ｂであり、本体２３の表面に設けられたつまみｂ４５と連動している。
【００３５】
以上のような構成に基いてその動作を説明する。吸着工程側形路２１ｂにおいて送風手段２２から流れ出た高温の乾燥した空気は、本体２３の天面端に設けられた吹き出し口ａ３８及び支柱２７の一部に設けられたハンガーパイプ２８の吹き出し口３０の両方より衣類３１に向けて吹き出される。この際に本体２３の表面に設けられたつまみａ４３、つまみｂ４５を操作することにより、これらと連動した調整弁ａ４２、調整弁ｂ４４を調整することができる。調整弁ａ４２、調整弁ｂ４４を調整することにより、それぞれの風路抵抗が変わり吹き出し口ａ３８と支柱２７とに流入する高温の乾燥した空気の比率が変化する。このため吹き出し口３８と吹き出し口３０から衣類３１に向かって吹き出される高温の乾燥した空気の比率も変化する。
【００３６】
従って調整弁ａ４２、調整弁ｂ４４を調整することにより、吹き出し口ａ３８と吹き出し口３０から衣類３１に向かって吹き出される高温の乾燥した空気の比率を調整することができ、ハンガーパイプ２８、ハンガーパイプ２９に掛けられた衣類３１の大きさや量に合わせて、それぞれ吹き出し口ａ３８と吹き出し口３０から適量の乾燥した高温の空気を吹き出すことができ、より効率の良い乾燥を促進させることができる。その他の動作については前記実施の形態５と同様であり、説明を省略する。なお本実施の形態では実施の形態５を基本にして説明したが、実施の形態６〜７のいずれかの形態に関しても同様の動作と効果が得られることは説明するまでもない。
【００３７】
（実施の形態９）
図１８において１６〜３１は図１、図２、図３で示した発明の実施の形態１と同様であり、同一部分には同一符号を付けて説明を省略する。４６は送風手段２２と支柱２７との間に設けられた補助加熱体であり、加熱体２０同様に常時通電されている。
【００３８】
以上のような構成に基いてその動作を説明する。吸着工程側形路２１ｂにおいて送風手段２２から流れ出た高温の乾燥した空気は、支柱２７の一部に設けられたハンガーパイプ２８の吹き出し口３０より衣類３１に向けて吹き出される。この際に送風手段２２と支柱２７との間には補助加熱体４６が設けられているため、吹き出し口３０より衣類３１に向けて吹き出される高温の乾燥した空気はより高温になり、効率の良い乾燥を促進させる。その他の動作については前記第一の手段と同様であり、説明を省略する。なお本実施例では実施の形態１を基本にして説明したが、実施の形態２〜７のいずれかの形態に関しても同様の動作と効果が得られることは説明するまでもない。
【００３９】
【発明の効果】
以上のように本発明によれば、衣類を収納する高断熱、高気密構造の乾燥庫が不要になり、設置の際の圧迫感が無く小型で安価な除湿機能付きの衣類乾燥機が提供できるものである。
【００４０】
また、高温の空気の量の比率を調整できるようにしておけば、衣類の大きさや、量に合わせた最適の乾燥状態を作り出すことができ、非常に効率の良い乾燥が実現するものである。
【図面の簡単な説明】
【図１】  本発明の実施の形態１による衣類乾燥機を示す要部断面図
【図２】  同衣類乾燥機を示す外観斜視図
【図３】  同衣類乾燥機を示す外観図
【図４】  本発明の実施の形態２による衣類乾燥機を示す要部断面図
【図５】  同衣類乾燥機を示す外観斜視図
【図６】  本発明の実施の形態３による衣類乾燥機を示す要部断面図
【図７】  同衣類乾燥機を示す外観斜視図
【図８】  本発明の実施の形態４による衣類乾燥機を示す要部断面図
【図９】  同衣類乾燥機を示す外観斜視図
【図１０】  本発明の実施の形態５による衣類乾燥機を示す要部断面図
【図１１】  同衣類乾燥機を示す外観斜視図
【図１２】  本発明の実施の形態６による衣類乾燥機を示す要部断面図
【図１３】  同衣類乾燥機を示す外観斜視図
【図１４】  本発明の実施の形態７による衣類乾燥機を示す要部断面図
【図１５】  同衣類乾燥機を示す外観斜視図
【図１６】  本発明の実施の形態８による衣類乾燥機を示す要部断面図
【図１７】  同衣類乾燥機を示す外観斜視図
【図１８】  本発明の実施の形態９による衣類乾燥機を示す要部断面図
【図１９】  従来の衣類乾燥機の要部断面図
【符号の説明】
１６  吸着剤
１７  枠体
１９  駆動モータ
２０  加熱体
２１ａ  再生工程側経路
２１ｂ  吸着工程側経路
２２  送風手段
２４  吸気口
２５  循環ファン
２６  再生除湿器
２７  支柱
２８  ハンガーパイプ
３０  吹き出し口
【図１】
0003713767.tif 000002
【図２】
0003713767.tif 000003
【図３】
0003713767.tif 000004
【図４】
0003713767.tif 000005
【図５】
0003713767.tif 000006
【図６】
0003713767.tif 000007
【図７】
0003713767.tif 000008
【図８】
0003713767.tif 000009
【図９】
0003713767.tif 000010
【図１０】
0003713767.tif 000011
【図１１】
0003713767.tif 000012
【図１２】
0003713767.tif 000013
【図１３】
0003713767.tif 000014
【図１４】
0003713767.tif 000015
【図１５】
0003713767.tif 000016
【図１６】
0003713767.tif 000017
【図１７】
0003713767.tif 000018
【図１８】
0003713767.tif 000019
【図１９】
0003713767.tif 000020